(57)【特許請求の範囲】
【請求項１】
端部カバーを、カバー方向に付勢させた状態でガイドを介してカバー端部から突出可能に連設するとともに、ガイドと端部カバーとを突出方向と直交した縦軸で連結し、躯体の摺動に対応して端部カバーが回動してカバーに対して突出可能としてなる構成を有するエキスパンションジョイントの端部構造。
【請求項２】
端部カバーを、カバー方向に付勢させた状態でガイドを介してカバー端部から突出可能に連設するとともに、ガイドと端部カバーとを回転部を有して連結し、この端部カバー側の連結部を端部カバー面の幅方向にスライド可能にして端部カバーに連設し、躯体の摺動に対応して端部カバーが回動してカバーに対して突出可能としてなる構成を有するエキスパンションジョイントの端部構造。
【請求項３】
端部カバーの裏面にカバー幅方向のレール部を形成して、これにスライド可能な移動体を装着し、移動体乃至レール部に形成した軸受にガイドの一端部に形成した回転軸を連結し、カバーの内側部に長手方向の支持部を形成し、上記ガイドをこの支持部にスライド自在に支持させ、かつ端部カバーをカバー方向に付勢させるようにした構成を有する請求項１又は２に記載のエキスパンションジョイントの端部構造。
【請求項４】
カバー内面に沿う枠体の両端部にガイドを受ける支持部を形成してなる支持枠を、カバー端部の内側に固着し、端部カバーを支持枠に当接した状態でカバー端部の内側に納まるように配設し、支持枠と端部カバーの接合部にはパッキン材を介装させてなる構成を有する請求項１〜３のいずれかに記載のエキスパンションジョイントの端部構造。
【発明の詳細な説明】
【０００１】
【発明の属する技術分野】
本発明は、躯体間隙を塞ぐエキスパンションジョイントの端部構造に関し、屋根のエキスパンションジョイント端部カバーを支持するのに特に好適な構造のものである。
【０００２】
【従来の技術】
エキスパンションジョイント構造において、屋根カバー端部の納まりは、雨水の浸入を防ぐために、通常、端面を蓋加工した状態で外壁エキスパンションジョイントカバーの上端部に重なり合うように取付けられている。
しかし、地震で躯体同士が揺れた時に、ずれ合った躯体面が蓋内側に衝突し、蓋が破壊されてしまうことになる。
この点を考慮した従来構造として、蓋面が躯体から離れて十分に間隙を保たせる施工構造があり、また、屋根カバーの端部を適当長さの蓋付きスライドカバーとして形成した構造とし、或いは、屋根カバーの端面を水平回転軸で枢着した上下回転蓋の構造とし、或いはまた、端面を両開き扉と同様な両開き蓋の構造としたものがある。
【０００３】
【発明が解決しようとする課題】
しかしながら、蓋面と躯体との間に広い間隙を置きすぎると、雨水が吹き込みやすくなり、雨漏りを発生させてしまうことがあった。端部をスライドカバーとした場合は、スライドカバーがカバー本体の内側に全面接触しているので、カバー長手方向の略均等な押圧力を受けてのみスライドすることができるが、カバーはそもそも両半部で隣接躯体を被覆しているから、躯体変動に伴って一方の躯体が接触してカバーには斜め方向の応力が生じることになり、スライドカバーが滑らかにスライドし難い状況となってしまうおそれがあった。
上下回転蓋の場合は、回転軸線が外側に露出することになり、また、回転軸部分の防水に構造上の難しさがあった。両開き蓋は加えて重複構造となるので構造が煩雑になるなどの問題があった。
【０００４】
本発明は、上記問題点を解消すると同時に、従来構成とは異なった独自な着眼に基づき、スライドと回転の複合的な動きにより躯体変動、特に隣接躯体の平行方向への摺動に確実に順応する簡潔な構成のエキスパンションジョイントの端部構造を実現せんとするものである。
【０００５】
【課題を解決するための手段】
上記課題を解決するために、本発明は、端部カバーを、カバー方向に付勢させた状態でガイドを介してカバー端部から突出可能に連設するとともに、ガイドと端部カバーとを突出方向と直交した縦軸で連結し、躯体の摺動に対応して端部カバーが回動してカバーに対して突出可能としてエキスパンションジョイントの端部を構成したものである。また、上記構成とともに、端部カバー側の連結部を端部カバー面の幅方向にスライド可能にして端部カバーを連設し、躯体の摺動に対応して端部カバーが回動してカバーに対して突出可能としたことも特徴とする。
【０００６】
上記構成は、端部カバーの裏面にカバー幅方向のレール部を形成して、これにスライド可能な移動体を装着し、移動体乃至レール部に形成した軸受にガイドの一端部に形成した回転軸を連結し、カバーの内側部に長手方向の支持部を形成し、上記ガイドをこの支持部にスライド自在に支持させ、かつ端部カバーをカバー方向に付勢させるようにした構成とすることができる。
【０００７】
上記において、ガイドは少なくとも端部カバーの幅方向両側部に設け、少なくとも一方の端部カバー側の連結部を幅方向にスライド可能とすることができる。
また、上記構成は、カバー内面に沿う枠体の両端部にガイドを受ける支持部を形成してなる支持枠を、カバー端部の内側に固着し、端部カバーを支持枠に当接した状態でカバー端部の内側に納まるように配設し、支持枠と端部カバーの接合部にはパッキン材を介装させた構成とすることができる。
上記カバーは屋根のエキスパンションジョイントカバーであって、壁のエキスパンションジョイントカバー上端部を被覆した状態で端部カバーを設置するように構成するのが最も好ましい。
【０００８】
【発明の実施の形態】
以下、本発明の一例としての実施例の形態を屋根エキスパンションジョイントの端部構造として示した図面によって説明する。なお、本発明のエキスパンションジョイントは躯体間隙塞ぐものであって、屋根に限定されるものではなく、その他の構造部分にも適応可能である。
【０００９】
図１〜３はエキスパンションジョイントの端部構造を、図４は設置状態を、図５〜８は躯体変動に対応する状態をそれぞれ示してあり、構成部材１はカバー、２は支持枠、３は端部カバー、４はガイドである。
カバー１は、隣接躯体Ａ，Ｂに跨って配設されたエキスパンションジョイントのホルダーに被着するカバーであり、上面１１の長手両側に側面１２を下折した構成を有して形成してある。カバー１と躯体Ａ，Ｂとの連結構造、この連結部の躯体変動吸収構造などは、従来構成その他の任意構成とすることができるので、図示を省略してある。
【００１０】
支持枠２は、カバー１の端部内側に沿って配設する補強材であり、カバー上面１１の内側に沿う上面部２１の両端に、カバー側面１２に当接する支持部２２を折曲形成し、支持部２２にはガイド４をカバー方向（カバー長手方向）に定方向性を維持してスライド自在に支持する貫通支持孔２３を形成してあり、この支持枠２はカバー１の端縁から若干内方に入った位置でカバー１にビスなどにより固着する。上記支持孔２３は、図では、適当間隔を保って平行に折曲形成した２枚の平行片にそれぞれ貫通孔を設けた構成としてあるが、任意構成としてよい。
【００１１】
端部カバー３は、カバー１の端面に嵌め込み状態に納まる形態のカバー面３１の裏面に、カバー幅方向のレール部３２を突設し、これにカバー幅方向にスライド可能な適当長さの移動体３３を嵌合し、移動体３３は一端部がカバー面３１の側方に突き出し可能な長さとするとともに、一端部に縦軸受（縦孔）３４を形成し、レール部３２との接触部にカバー幅方向の凹凸条を形成し、これによってスライド嵌合状態を安定するようにし、上記一端部とは反対方向のレール部３２他端部には縦軸受（縦孔）３５を形成してある。
【００１２】
ガイド４は、想定される躯体変動分よりも長い直棒体の先端部に横方向に折曲した折曲部４１を設け、その先端部に折曲した回転軸となる縦軸４２を形成してなっている。
４３は付勢体としてのコイル状の圧縮ばねであり、ガイド４の直棒部にゆるく被着し、ピン状の係止部材４４をガイド元端部に止着することによって、ばね４３が抜け外れないように係止しつつ、ばねの付勢力をガイド４に与えるものとしてある。４５は、縦軸４２を縦軸受３４乃至３５に挿通した上で縦軸先端部に止着する係止リングである。
【００１３】
上記エキスパンションジョイントの端部構造は次のようになっている。カバー１の端部内側にパッキン２４付の支持枠２をビスなどで一体的に固着し、両端の支持部２２、２２の各支持孔２３にはそれぞれガイド４をカバー端面外方から元端部を挿通させて装着し、元端部からばね４３をそれぞれ被着し、圧縮させて係止部材４４で係止させて、ガイド４、４にそれぞれカバー内方への付勢力を与え、一方のガイド４先端の縦軸４２を端部カバー３のレール部３２端の縦軸受３５に軸着して係止リング４５で係止し、他方のガイド４先端の縦軸４２を端部カバー３の移動体３３端の縦軸受３４に軸着して係止リング４５で係止し、端部カバー３をカバー１の端部内側に密接状態で納め、端部カバー３がばね４３の付勢を受けて支持枠２のパッキン２４に圧接し、確実なカバー機能を果たすように構成してある。なお、上記は取付手順を示すものではなく、手順は任意でよい。
【００１４】
上記エキスパンションジョイントの端部は、躯体変動を次のようにして吸収する。すなわち、常態では躯体Ａ，Ｂともに、図５、７のように端部カバー３に接触していないが、躯体Ａ，Ｂが躯体間隙沿い方向に摺動した場合、一方の躯体Ｂが、図６、８のように端部カバー３に突き当たり、この押圧力を受けて、端部カバー３の一側端部は他側端部を回転軸として回転扉のように回動してカバー１端から外方に開き、この回動は、ガイド４を引き出しつつ移動体３３をレール部３２に対してスライドさせ、かつガイド先端から横方向に折曲して形成された縦軸４２が回転軸となって行われ、上記他側端部はその側のガイド４先端の縦軸４２が回転軸となるので、端部カバー４の回動が円滑なものとなる。他方の躯体Ａの摺動に対しても同様である。
躯体Ａ，Ｂが通常位置に復帰した時には、ガイド４がばね４３の付勢力を受けてカバー内方に後退し、移動体３３がスライド復帰するので、端部カバー３は自動的にずれることなくカバー１の端部内に納まることになる。
【００１５】
上記構成は適宜設計変更が可能であり本発明はこれを含むものである。例えば、ガイドは１本以上であれば適宜であり、中間部に配設することもできる。また、ガイドにばねを設けず、ガイドとは別にばねを配設するようにしてもよい。ばねはコイルばねに限定されない。
【００１６】
【発明の効果】
上記のように本発明によれば、地震等により隣接躯体が摺動し、エキスパンションジョイントカバーの端部カバーに突き当たっても、この押圧力を受けて端部カバーがガイドに案内されてカバー端部から外方に自在に突出でき、しかも付勢力によってカバー端部内に自動的に復元でき、スライドと回転によって安定した突出、復元作用をなす簡潔な構成のエキスパンションジョイントの端部構造を提供することができる。
端部カバー側の連結部を端部カバー面の幅方向にスライド可能とすることにより、端部カバーの突出、復元作用すなわち躯体変動への追従性が一層円滑に安定したものとなる。
ガイドとスライド可能な移動体を回転軸を介して連結することにより、端部カバーがずれることなく復元してカバー端部を密封することができる。両者の接合部にはパッキンを介装させることができるので、雨水の浸入するおそれのない端部構造とすることができる。
また、上記構造は工場において組み込み施工することができるので、施工性が簡略化でき効率を向上させることができる。
【図面の簡単な説明】
【図１】本発明に係るエキスパンションジョイントの端部構造を示す分解斜視図である。
【図２】図１の組み合わせ状態を示す分解斜視図である。
【図３】図２の別方向から見た組み合わせ状態を示す分解斜視図である。
【図４】設置状態を示すカバーの幅方向断面状態図である。
【図５】端部構造をカバー長手方向に縦断して示す部分断面図である。
【図６】図５の端部カバーの変動状態を示す部分断面図である。
【図７】端部構造をカバー長手方向に水平切断して示す部分断面図である。
【図８】図７の端部カバーの変動状態を示す部分断面図である。
【符号の説明】
１        カバー
１１      上面
１２      側面
２        支持枠
２１      上面部
２２      支持部
２３      支持孔
２４      パッキン
３        端部カバー
３１      カバー面
３２      レール部
３３      移動体
３４、３５    縦軸受
４        ガイド
４１      折曲部
４２      縦軸
４３      ばね
４４      係止部材
４５      係止リング
Ａ，Ｂ    躯体
【図１】
0003618692.tif 000002
【図２】
0003618692.tif 000003
【図３】
0003618692.tif 000004
【図４】
0003618692.tif 000005
【図５】
0003618692.tif 000006
【図６】
0003618692.tif 000007
【図７】
0003618692.tif 000008
【図８】
0003618692.tif 000009